(57)【要約】      （修正有）【課題】本発明は、マンションのクーラント回路上に設置され、空気を前記クーラント回路に通過させて冷却させた後、送風装置の送風口から排出する送風装置を有するクーラント回路含有エコシステムを提供する。【解決手段】送風装置（１００）の傍にあるクーラントの流出端部（１１０）に接続され、クーラントが前記送風装置（１００）を通過して前記クーラント回路に戻る流量を制御する温度感知型流量制御弁（２００）と、前記温度感知型流量制御弁（２００）に接続され、前記送風装置（１００）の送風口（１３０）から排出された空気の温度を測定し、測定された温度に基づいて前記温度感知型流量制御弁（２００）の開閉を行い、更に温度感知式流量制御弁（２００）によって前記クーラントの流量を調節する温度設定器（３００）と、を含む温度感知型流量制御弁（２００）が適用される。【選択図】図１
2019203683.tif 000002
【特許請求の範囲】
【請求項１】
マンションのクーラント回路の上に設置され、空気を前記クーラント回路に通過させて冷却させた後、送風装置の送風口から排出する送風装置と、
前記送風装置の傍にある前記クーラント回路上に接続され、クーラントが前記送風装置を通過して前記クーラント回路に戻る流量を制御する温度感知型流量制御弁と、
前記温度感知型流量制御弁に接続され、温度設定器の温度測定素子で測定された温度に基づいて前記温度感知型流量制御弁の開閉を行う温度設定器と、
を含む温度感知型流量制御弁が適用されるクーラント回路含有エコシステム。
【請求項２】
前記温度感知型流量制御弁は、前記送風装置のクーラント流出端部に接続される請求項１に記載の温度感知型流量制御弁が適用されるクーラント回路含有エコシステム。
【請求項３】
前記温度設定器は、前記送風装置の傍にある前記送風口に設置される請求項１に記載の温度感知型流量制御弁が適用されるクーラント回路含有エコシステム。
【発明の詳細な説明】
【技術分野】
【０００１】
本発明はエアコン分野に属し、特に温度感知型流量制御弁が適用されるクーラント回路含有エコシステムに関する。
【背景技術】
【０００２】
マンションのエアコンシステムが中央制御のクーラントホストマシンを有するのは普通である。前記クーラントホストマシンは単にクーラントを大量に製造してクーラント回路を介してマンションの各箇所に流す。また、各階の住戸側でそれぞれ送風装置が配置され、前記送風装置は、空気をまず前記クーラント回路に導入して冷却させた後に排出するように前記クーラント回路に接続され、これにより、冷風を吹き出す効果を奏する。
【０００３】
エコのため、前記送風装置には専用の温度調節器が配置され、前記温度調節器は、前記送風装置から吹き出す冷風の温度を感知でき、温度が目標に達する時にクーラント回路を遮断し、恒温弁による自動温度調節を行う。
【０００４】
しかし、公知技術に係る制御方式には欠点があり、そのエコの効果が限られている。図４は、主に送風装置１００’を有する普遍的なクーラント回路制御システムを示す図である。前記送風装置１００’は、マンションのクーラント回路４１０’上に据え付けられ、前記クーラント回路において、前記送風装置１００’にクーラントを流し込ませるところには３方弁２００’が配置され、前記３方弁２００’から還流管４２０’が引き出され、前記還流管４２０’の末端が、前記クーラント回路４１０’におけるクーラントが前記送風装置１００’から流れ出すところに接続され、前記送風装置１００’の送風口１３０’には、前記３方弁２００’の作動方向を切り替えるための温度調節器３００’が設置される。
【０００５】
上記の設計により、公知のクーラント回路制御システムは、一般には前記３方弁２００’を介して前記送風装置１００’の内部に導入され、クーラントで前記送風装置１００’から吹き出される空気の温度を低下する。また、前記温度調節器３００’は、温度を実時間で監視し、前記送風装置１００’の前記送風口１３０’の温度が設定した目標まで下がる時、前記３方弁２００’の作動方向を前記還流管４２０’に切り替えることによって、前記クーラント回路４１０’における前記クーラントは前記送風装置１００’をバイパスして冷却された状態で前記クーラント回路４１０’に回収されることができ、これにより、クーラントを製造するためのエネルギー消費を低減し、エコの目的を達成できる。
【０００６】
しかし、前記公知技術の手段は、前記クーラントの方向を変えるに過ぎず、前記クーラントの流量には管理制御を行っていない。したがって、実際の問題は、前記クーラントはやはり前記クーラント回路４１０’に流れなくてはならず、且つ流れているうちに熱を吸収することによって前記クーラントの温度が上がるので、改めて氷を製造する必要がある。
【０００７】
本発明者等は、公知技術の欠点に鑑みて、まず台湾特願１０３２２０７６９である「温度感知機能を有する流量制御弁」及び台湾特願１０７２０１６５１である「流量制御弁」を出願し、流量を正確に制御する目的を達成した。今、前記台湾特願１０７２０１６５１である先行技術に基づいて更に説明し、前記先行技術に含まれる制御弁１”と、モーター２”と、制御部４”と、回折格子５”と、接続モジュール３”などを本発明に係る温度感知型流量制御弁が適用されるクーラント回路含有エコシステムと組み合わせると、更なるエコの目的を達成できる。
【０００８】
前記制御弁１”は、流体流入端部１１”と流体流出端部１２”を有し、前記流体流入端部１１”と流体流出端部１２”の間で流量弁１３”が設けられ、前記流量弁１３”から、前記流量弁１３”の開閉を制御するための流量スイッチ１４”が伸び出し、流体を前記流体流入端部１１”に進入させて前記流量弁１３”で流量を調節した後、前記流体流出端部１２”から流出させ、前記モーター２”はパワーを出力する出力軸２１”を有し，前記制御部４”は、前記モーター２”の前記出力軸２１”の回転角度を制御するように前記出力軸２１”に接続され、前記回折格子５”の一端部が前記出力軸２１”上に接続され、前記回折格子５”の縁部には、前記回折格子５”の縁部の回転を感知して前記出力軸２１”の回転角度を得るための位置センサー５１”が設置され、また、前記位置センサー５１”が前記制御部４”に接続され、回転が正確かどうかを確認するために前記得られた回転角度をフィードバックし，前記回折格子５”の他の一端部には伝動部５２”が設置され、前記接続モジュール３”が前記回折格子５”の前記伝動部５２”と前記流量弁１３”の前記流量スイッチ１４”の間に接続され、前記制御弁１”の横には温度感知用の温度センサー４１”が設置され、前記温度センサー４１”が受け取った温度データが、流体が流出する流量を決めて制御するために前記制御部４”に伝送される。
【０００９】
前記先行技術に係る流量制御弁装置によって、前記回折格子５”で前記モーター２”の回転を制御して前記流量弁１３”の開閉幅を決定し、流体を前記流体流入端部１１”に進入させて前記流量弁１３”で流量を調節した後、前記流体流出端部１２”から流出でき、更に本発明に係る温度感知型流量制御弁が適用されるクーラント回路含有エコシステムと組み合わせると、更なるエコの目的を達成できる。
【発明の概要】
【発明が解決しようとする課題】
【００１０】
先行技術がクーラントの流量を有効に制御できず、大量に氷を製造する必要があるので、エネルギーを大量に消費している。したがって、前記クーラント回路の流動のメカニズムを見直す必要がある。
【００１１】
本発明者等が先に出願した先行技術によってクーラントの流量を精確に制御してクーラントの無駄を低減できたので、本発明者等が上記先行技術を本発明に適用することによってエコの目的を徹底的に達成する。
【課題を解決するための手段】
【００１２】
本発明は、送風装置と、温度感知型流量制御弁と、温度設定器とを主に含む温度感知型流量制御弁が適用されるクーラント回路含有エコシステムを提供する。
【００１３】
前記送風装置は、マンションに配置されたクーラント回路上に設置され、クーラント流入端部とクーラント流出端部とを有し、前記クーラント回路内の前記クーラントが前記クーラント流入端部を介して前記送風装置に導入され、前記送風装置を起動して空気を前記クーラントの位置に通過させて冷却を行い、更に冷却した前記空気を前記送風装置の送風口から排出し、また、使用された前記クーラントは前記クーラント流出端部から前記クーラント回路に回収される。
【００１４】
前記温度感知型流量制御弁は、前記送風装置の傍にある前記クーラント回路上に配置され、これにより、前記温度感知型流量制御弁は、前記クーラントが前記送風装置を通過して前記クーラント回路に戻る流量を制御できる。
【００１５】
前記温度設定器が前記温度感知型流量制御弁に設置され、前記送風装置の傍にある前記空気の温度を測定し、前記温度設定器が測定した温度によって前記温度感知型流量制御弁の開閉を行い、前記温度感知型流量制御弁が更に前記温度によって前記クーラントの流量を調節する。
【００１６】
実際の操作において、温度が高いと、前記温度感知型流量制御弁のゲートの開度を大きくして前記クーラントの流量を増加させることにより、早めに前記送風装置から排出される前記空気の温度を下げる一方、温度が低下すると、前記温度感知型流量制御弁のゲートの開度を小さくして前記クーラント流量を低減する。前記温度が目標温度まで下がる時、前記温度設定器が前記温度感知型流量制御弁を閉めて前記クーラントの流動を停止させる。
【００１７】
前記クーラントの流量を有効に低減する制御によって、前記クーラントを製造するための作動負荷を低下でき、エコの効果も当然達成できる。
【００１８】
更に、前記温度感知型流量制御弁は前記送風装置のクーラント流出端部に接続され、これにより、前記クーラントが前記送風装置を通過する流量を有効に制御できる。
【００１９】
更に、前記温度設定器の温度測定素子が前記送風装置の傍にある前記送風口に設置されているので、前記空気の温度を確実に監視できる。
【発明の効果】
【００２０】
本発明で使用されるクーラント流量の制御方式は、氷を製造するために消費されるエネルギーを低減できるので、最も有効なエコ効果を達成できる。
【００２１】
また、本発明の構造が簡単であり、容易にマンションの各階に配置できるので、より優れたエコの効果を発揮できる。
【図面の簡単な説明】
【００２２】
【図１】本発明の構造を示すブロック図である。
【図２】本発明が適用される実施例を示す図である。
【図３】本発明の操作を説明する流れ図である。
【図４】先行技術の構造を示すブロック図である。
【図５】台湾特願１０７２０１６５１に係る先行技術の構造を示す分解図である。
【発明を実施するための形態】
【００２３】
＜実施例＞
本発明の目的、技術案及び利点をより明確にするために、以下は添付図面と実施例を組み合わせて本発明を更に詳しく説明する。ただし、ここで例示される具体的な実施例は本発明を説明するに過ぎず、本発明を限定するものではない。
【００２４】
まず、図１、図２を参照する。本発明は、主に送風装置１００と、温度感知型流量制御弁２００と、温度設定器３００とを含む温度感知型流量制御弁が適用されるクーラント回路含有エコシステムを提供する。
【００２５】
前記送風装置１００は、空気の流れを導くための装置であって普通の扇風機であってもよく、クーラント流入端部１１０と、クーラント流出端部１２０とを有する。前記送風装置１００は、マンション４００に配置されるクーラント回路４１０上に設置されており、前記クーラント回路４１０にはクーラントホストマシン４２０が接続され、製造されたクーラントを前記クーラント回路４１０上に流して、前記クーラント回路４１０内の前記クーラントを、クーラント流入端部１１０を介して前記送風装置１００に導入し、そして前記送風装置１００を起動して空気を前記クーラントのある位置に通過させて冷却を行い、更に、冷却された前記空気を前記送風装置１００の送風口１３０から排出し、使用された前記クーラントは前記クーラント流出端部１２０から前記クーラント回路４１０中に回収され、そして、前記クーラントホストマシン４２０が前記回収されたクーラントの温度に基づいてクーラントの製造を再開し、これにより循環し続ける。
【００２６】
したがって、前記クーラント回路４１０内の前記クーラント流量を低減できれば、前記クーラントホストマシン４２０の作動負荷が当然低減され、これにより、エコの効果を達成できる。
【００２７】
上記の送風装置１００と相まって、前記温度感知型流量制御弁２００が前記送風装置１００の傍にある前記クーラント回路４１０上に接続される。本実施例において、前記温度感知型流量制御弁２００が前記送風装置１００の前記クーラント流出端部１２０に接続されることにより、前記温度感知型流量制御弁２００は、前記クーラントが前記送風装置１００を通過して前記クーラント回路４１０に戻る流量を制御できる。
【００２８】
前記温度設定器３００が前記温度感知型流量制御弁２００に接続され、前記送風装置１００の傍にある空間４３０における前記空気の温度を測定し、好ましくは前記温度設定器３００が前記送風装置１００の前記送風口１３０に近いところに設置され、そして、前記温度設定器３００の温度測定素子で測定された前記空気の温度に基づいて前記温度感知型流量制御弁２００の開閉が決定され、前記温度感知型流量制御弁２００が起動すると、更に前記空気の温度に基づいて前記クーラントの流量を調節し、温度が高いと、前記クーラントの流量を向上させて前記送風装置１００から排出される前記空気の温度を下げる効果を増加し、逆に温度が低下すると、前記クーラントの流量を低減し、前記空気の温度が目標温度まで低下すると、前記温度設定器３００が前記温度感知型流量制御弁２００を閉めて前記クーラントの流動を停止させ、これにより、前記クーラントの流量を低減してエコの効果を奏する。
【００２９】
特に説明すべきことは、本発明において、前記温度感知型流量制御弁２００を前記クーラントの流量制御装置として使用するので、本発明は複雑な大型制御システムを設置する必要がない。ゆえに、本発明でいう前記温度感知型流量制御弁２００は、上記本発明者等が先に出願した台湾特願１０３２２０７６９である「具温度感知型之流量制御弁」または台湾特願１０７２０１６５１である「流量制御弁」という先行技術と組み合わせると、前記温度感知型流量制御弁２００をモジュール化、軽量化することができるので、簡単に据え付けてエコの効果を奏する。
【００３０】
以下では、図３を参照しながら、上記の各装置による本発明の実施ステップを説明する。
【００３１】
ステップ３１：前記送風装置１００を起動して、前記空気を前記送風装置１００中に導入して冷却させた後，前記送風装置１００の前記送風口１３０から冷却された前記空気を排出する。
【００３２】
ステップ３２：前記温度設定器３００が前記空気の温度を監視し続け、前記空気の温度が設定した温度まで上がると、前記温度感知型流量制御弁２００を起動して前記クーラントの流量の制御を行う。
【００３３】
ステップ３３：前記温度感知型流量制御弁２００が起動した後，前記クーラント回路４１０内の前記クーラントを前記送風装置１００に通過させて前記送風装置１００から排出された空気温度を下げる。
【００３４】
ステップ３４：前記温度感知型流量制御弁２００は、前記空気温度が設定した温度まで下がったか否かを判断する。
【００３５】
ステップ３５：前記空気の温度が目標温度まで下がっていないと、温度低下の幅に基づいて前記温度感知型流量制御弁２００のゲートの開度を調節して前記クーラントの流量を制御するように温度監視のプロセスを繰り返す。
【００３６】
ステップ３６：前記空気の温度が目標温度まで下がると、前記温度設定器３００の前記温度測定素子が前記温度感知型流量制御弁２００を閉めるための信号を発送し、前記クーラント回路４１０内の前記クーラントを前記送風装置１００に通過させず、これにより、エコの効果を達成する。
【００３７】
もちろん、上記の組成構造と実施ステップは本発明に係る技術を実現するための態様の一つにすぎず、前記温度感知型流量制御弁２００を前記クーラントの流量制御として使用する設計は、全て本発明の特許請求の範囲に含まれるものである。
【符号の説明】
【００３８】
１００ 送風装置
１００’ 送風装置
１１０ クーラント流入端部
１２０ クーラント流出端部
１３０ 送風口
１３０’ 送風口
２００ 温度感知型流量制御弁
２００’ ３方弁
３００ 温度設定器
３００’ 温度調節器
４００ マンション
４１０ クーラント回路
４１０’ クーラント回路
４２０ クーラントホストマシン
４２０’ 還流管
４３０ 空間
１” 制御弁
１１”流体流入端部
１２” 流体流出端部
１３” 流量弁
１４” 流量スイッチ
２” モーター
２１” 出力軸
３” 接続モジュール
４” 制御部
４１” 温度センサー
５” 回折格子
５１” 位置センサー
５２” 伝動部
【図１】
2019203683.tif 000003
【図２】
2019203683.tif 000004
【図３】
2019203683.tif 000005
【図４】
2019203683.tif 000006
【図５】
2019203683.tif 000007